(57)【要約】 【課題】複数の投影装置によって形成された画像を見るだけで、どの投影装置で不具合が生じているか認識可能とする。【解決手段】機器情報検出手段（傾きセンサ２２，３２）を備えた複数の投影装置２，３から投影される画像を一つに重ねて画像を形成するため、複数の投影装置２，３に対して画像情報を出力する投影制御装置６である。投影制御装置６は、複数の投影装置２，３の台数を取得する台数取得手段（操作部６１）と、取得した台数に基づいて、投影装置２，３の機器情報を表示するための領域を割り当てる割当手段（制御部６４）と、複数の投影装置２，３のそれぞれの機器情報検出手段により検出された機器情報を取得する機器情報取得手段（通信部６３及び制御部６４）と、取得した各投影装置２，３の機器情報を、割当手段で割り当てられた領域に投影させるように投影装置２，３を制御する投影制御手段（制御部６４）とを備える。【選択図】図２
2015184307.tif 000002
【特許請求の範囲】
【請求項１】
機器情報検出手段を備えた複数の投影装置から投影される画像を一つに重ねて画像を形成するため、前記複数の投影装置に対して画像情報を出力する投影制御装置であって、
前記複数の投影装置の台数を取得する台数取得手段と、
前記台数取得手段で取得した前記台数に基づいて、前記投影装置の機器情報を表示するための領域を割り当てる割当手段と、
複数の投影装置のそれぞれの前記機器情報検出手段により検出された機器情報を取得する機器情報取得手段と、
前記機器情報取得手段によって取得した各投影装置の機器情報を、前記割当手段で割り当てられた領域に投影させるように前記投影装置を制御する投影制御手段とを備えることを特徴とする投影制御装置。
【請求項２】
請求項１記載の投影制御装置において、
前記機器情報取得手段は、前記機器情報検出手段によって検出された前記投影装置の姿勢情報を前記機器情報として取得することを特徴とする投影制御装置。
【請求項３】
請求項１又は２記載の投影制御装置において、
前記機器情報取得手段で取得した前記機器情報に基づいて前記投影装置が異常であるか否かを判断する判断手段を備え、
前記投影制御手段は、前記判断手段が異常であると判断した場合には、当該異常として判断された前記投影装置に割り当てられた領域に異常に関する情報が機器情報として投影されるように前記投影装置を制御することを特徴とする投影制御装置。
【請求項４】
請求項３記載の投影制御装置において、
前記投影制御手段は、前記異常に関する情報として当該異常に対する対処方法を前記投影装置に投影させることを特徴とする投影制御装置。
【請求項５】
請求項３又は４記載の投影制御装置において、
正常時の前記機器情報を記憶する記憶手段を備え、
前記判断手段は、前記機器情報取得手段で取得した前記機器情報と、前記記憶手段に記憶される前記機器情報とを比較することで前記投影装置が異常であるか否かを判断することを特徴とする投影制御装置。
【請求項６】
請求項３〜５のいずれか一項に記載の投影制御装置において、
前記投影制御手段は、前記異常が解消された場合に、前記異常に関する情報を証することを特徴とする投影制御装置。
【請求項７】
請求項１〜６のいずれか一項に記載の投影制御装置において、
前記投影制御手段は、
前記機器情報を前記画像情報に重畳することにより、前記機器情報を前記投影装置に投影させることを特徴とする投影制御装置。
【請求項８】
請求項１〜７のいずれか一項に記載の投影制御装置において、
前記投影制御手段は、前記機器情報の色が前記投影装置毎に異なるように前記機器情報を前記投影装置に投影させることを特徴とする投影制御装置。
【請求項９】
請求項１〜８のいずれか一項に記載の投影制御装置と通信自在な投影装置において、
前記投影装置の機器情報を検出する機器情報検出手段と、
前記機器情報検出手段で検出された前記機器情報を前記投影制御装置に出力する機器情報出力手段とを備えることを特徴とする投影装置。
【請求項１０】
請求項９に記載の投影装置において、
前記機器情報出力手段は、前記投影制御装置から問い合わせがあった場合に、前記機器情報を前記投影制御装置に出力することを特徴とする投影装置。
【請求項１１】
請求項９又は１０記載の投影装置において、
前記機器情報検出手段は、前記機器情報として前記投影装置の姿勢情報を検出することを特徴とする投影装置。
【請求項１２】
機器情報検出手段を備えた複数の投影装置と、
前記複数の投影装置から投影される画像を一つに重ねて画像を形成するため、前記複数の投影装置に対して画像情報を出力する投影制御装置とを有する投影システムであって、
前記投影制御装置は、
前記複数の投影装置の台数を取得する台数取得手段と、
前記台数取得手段で取得した前記台数に基づいて、前記投影装置の機器情報を表示するための領域を割り当てる割当手段と、
複数の投影装置のそれぞれの前記機器情報検出手段により検出された機器情報を取得する機器情報取得手段と、
前記機器情報取得手段によって取得した各投影装置の機器情報を、前記割当手段で割り当てられた領域に投影させるように前記投影装置を制御する投影制御手段とを備え、
前記投影装置は、
当該投影装置の機器情報を検出する機器情報検出手段と、
前記機器情報検出手段で検出された前記機器情報を前記投影制御装置に出力する機器情報出力手段とを備えることを特徴とする投影システム。
【請求項１３】
機器情報検出手段を備えた複数の投影装置から投影される画像を一つに重ねて画像を形成するための投影方法であって、
前記複数の投影装置の台数を取得する台数取得ステップと、
前記台数取得ステップで取得した前記台数に基づいて、前記投影装置の機器情報を表示するための領域を割り当てる割当ステップと、
複数の投影装置のそれぞれの前記機器情報検出手段により検出された機器情報を取得する機器情報取得ステップと、
前記機器情報取得ステップによって取得した各投影装置の機器情報を、前記割当ステップで割り当てられた領域に投影させるように前記投影装置を制御する投影制御ステップとを含むことを特徴とする投影方法。
【請求項１４】
機器情報検出手段を備えた複数の投影装置から投影される画像を一つに重ねて画像を形成するため、前記複数の投影装置に対して画像情報を出力するコンピュータを、
前記複数の投影装置の台数を取得する台数取得手段と、
前記台数取得手段で取得した前記台数に基づいて、前記投影装置の機器情報を表示するための領域を割り当てる割当手段と、
複数の投影装置のそれぞれの前記機器情報検出手段により検出された機器情報を取得する機器情報取得手段と、
前記機器情報取得手段によって取得した各投影装置の機器情報を、前記割当手段で割り当てられた領域に投影させるように前記投影装置を制御する投影制御手段として機能させることを特徴とするプログラム。
【発明の詳細な説明】
【技術分野】
【０００１】
本発明は、投影制御装置、投影装置、投影システム、投影方法及びプログラムに関する。
【背景技術】
【０００２】
従来、複数の投影装置から投影された画像を重ねて一つの画像を形成することにより、画像の明るさを確保する投影システム（スタック投影システム）が知られている（例えば特許文献１参照）。
【先行技術文献】
【特許文献】
【０００３】
【特許文献１】特開２００４−３３６２２５号公報
【発明の概要】
【発明が解決しようとする課題】
【０００４】
しかしながら、このような投影システムの場合、一つの投影装置で不具合が生じていたとしても、画像が重なって表示（投影）されるので、形成された画像からはどの投影装置で不具合が生じているか一見して把握できないという問題があった。
そこで本発明の課題は、複数の投影装置によって形成された画像を見るだけで、どの投影装置で不具合が生じているか認識可能とすることである。
【課題を解決するための手段】
【０００５】
以上の課題を解決するため、本発明の一の態様によれば、
機器情報検出手段を備えた複数の投影装置から投影される画像を一つに重ねて画像を形成するため、前記複数の投影装置に対して画像情報を出力する投影制御装置であって、
前記複数の投影装置の台数を取得する台数取得手段と、
前記台数取得手段で取得した前記台数に基づいて、前記投影装置の機器情報を表示するための領域を割り当てる割当手段と、
複数の投影装置のそれぞれの前記機器情報検出手段により検出された機器情報を取得する機器情報取得手段と、
前記機器情報取得手段によって取得した各投影装置の機器情報を、前記割当手段で割り当てられた領域に投影させるように前記投影装置を制御する投影制御手段とを備えることを特徴とする投影制御装置が提供される。
【発明の効果】
【０００６】
本発明によれば、複数の投影装置によって形成された画像を見るだけで、どの投影装置で不具合が生じているか認識することができる。
【図面の簡単な説明】
【０００７】
【図１】本実施形態に係る投影システムの概略構成を示す外観斜視図である。
【図２】本実施形態に係る投影システムの主制御構成を示すブロック図である。
【図３】本実施形態に係る機器情報表示領域の割り当ての一例を示す説明図である。
【図４】本実施形態に係る投影制御装置による機器情報表示（投影）処理の流れを示すフローチャートである。
【図５】本実施形態に係る１番目の投影装置に異常があり、２番目の投影装置に異常がない場合に表示（投影）される画像例を示す説明図である。
【図６】本実施形態に係る１番目の投影装置及び２番目の投影装置に異常がある場合に表示（投影）される画像例を示す説明図である。
【図７】本実施形態に係る別の表示（投影）画像例を示す説明図である。
【発明を実施するための形態】
【０００８】
以下に、本発明を実施するための最良の形態について図面を用いて説明する。ただし、以下に述べる実施形態には、本発明を実施するために技術的に好ましい種々の限定が付されているが、発明の範囲を以下の実施形態及び図示例に限定するものではない。
【０００９】
図１は、本実施形態に係る投影システム１の概略構成を示す外観斜視図である。なお、本実施形態において、投影システム１における左右とは投影方向に対しての左右方向を示し、前後とは投影システム１の投影方向の進行方向に対しての前後方向を示す。
【００１０】
図１は、本実施形態に係る投影システム１の概略構成を示す外観斜視図である。なお、本実施形態において、投影システム１における左右とは投影方向に対しての左右方向を示し、前後とは投影システム１の投影方向の進行方向に対しての前後方向を示す。
【００１１】
図１に示すように投影システム１には、上下方向に重ねて配列された二台の投影装置２，３と、これら二台の投影装置２，３を収容して支持するフレーム４と、上側の投影装置２とフレーム４との相対的な角度を調整する角度調整機構２５と、下側の投影装置３とフレーム４との相対的な角度を調整する角度調整機構３５と、フレーム４の下面に搭載されて、二台の投影装置２，３に対して画像情報を出力する投影制御装置６と、が備えられている。
【００１２】
フレーム４には、二台の投影装置２，３を収容するフレーム本体４１と、フレーム本体４１の天板４２と天井とを連結し、フレーム本体４１を天吊りする天吊り部４３と、二台の投影装置２，３のそれぞれの上方を覆うカバー部材４４とを備えている。
フレーム本体４１の前面は、二台の投影装置２，３から出射された投影光がスクリーンに達するように開放されている。フレーム本体４１には、当該フレーム本体４１との相対的な角度が調整できるように、上側の投影装置２が角度調整機構２５を介して取り付けられ、下側の投影装置３が角度調整機構３５を介して取り付けられている。この角度調整機構２５，３５による角度調整によって、二台の投影装置２，３で投影された画像を一つに重なるように調整することができる。
【００１３】
図２は、本実施形態に係る投影システム１の主制御構成を示すブロック図である。
図２に示すように投影装置２，３には、画像を投影する投影部２１，３１と、投影装置２，３の傾きを検出する傾きセンサ２２，３２と、投影制御装置６と通信する通信部２３，３３と、これらを制御する制御部２４，３４とが備えられている。
傾きセンサ２２，３２は、本発明に係る機器情報検出手段であり、機器情報として投影装置２，３の角度（姿勢情報）を検出するようになっている。
制御部２４，３４は、通信部２３，３３を介して入力された画像情報に対して、傾きセンサ２２，３２の検出結果に基づき台形補正を施し、補正後の画像情報によって投影部２１，３１を制御することで、画像をスクリーンに対して出力するようになっている。
また、制御部２４，３４は、投影制御装置６から問い合わせがあった場合に、傾きセンサ２２，３２で検出された投影装置２，３の角度を取得して、通信部２３，３３を介して投影制御装置６に出力する。つまり、制御部２４，３４及び通信部２３，３３が本発明に係る機器情報出力手段である。
【００１４】
投影制御装置６は、操作部６１と、記憶部６２と、通信部６３と、これらを制御する制御部６４とを備えている。
操作部６１は、各種指示や設定条件が入力されるものであり、例えば、投影制御装置６に接続されている投影装置２，３の台数（接続台数）が入力される。つまり、操作部６１が本発明に係る台数取得手段である。
記憶部６２は、本発明に係る記憶手段であり、投影装置２，３から取得したそれぞれの正常時の角度や、異常に対する対処方法などを記憶している。正常時の角度としては、投影装置２，３を天井に設置し、両者から投影された画像が一つの画像として正確に重なるように調整された後の角度を傾きセンサ２２，３２から取得し記憶部６２が記憶している。
通信部６３は、画像を再生する画像再生装置７及び二台の投影装置２，３に対して通信自在（可能）に接続されている。
【００１５】
制御部６４は、画像再生装置７から通信部６３を介して入力された画像情報に対して、二台の投影装置２，３から投影した画像を一つに重ねて画像を形成する際に、適した画像となるように補正を施す。さらに制御部６４は、補正に伴って上側の投影装置２用の画像情報と、下側の投影装置３用の画像情報を生成し、通信部６３を介してそれぞれの投影装置２，３に対応する画像情報を出力する。
【００１６】
また、制御部６４は、操作部６１から入力された台数を基に、投影装置２，３の機器情報を表示（投影）するための領域（機器情報表示領域Ｒ１，Ｒ２：図３参照）を割り当てる。つまり、制御部６４が本発明に係る割当手段である。割り当て時においては、制御部６４は、各投影装置２，３に対して番号付けも行う。
図３は、機器情報表示領域の割り当ての一例を示す説明図である。接続台数が２台である場合には、制御部６４は、画像Ｇを上下に二分割し、上側の領域を一番目の投影装置２の機器情報表示領域Ｒ１とし、上側の領域を二番目の投影装置３の機器情報表示領域Ｒ２とする。
そして、制御部６４は、各投影装置２，３から通信部６３を介して入力された傾きセンサ２２，３２の検出結果を取得する。つまり、通信部６３及び制御部６４が本発明に係る機器情報取得手段である。制御部６４は、取得した各投影装置２，３の傾きセンサ２２，３２の検出結果と、記憶部６２に記憶されている各投影装置２，３の正常時の角度とを比較し、その差が許容範囲を超えている場合には、異常であると判断する。つまり、制御部６４が本発明に係る判断手段である。異常を判断した場合、制御部６４は、異常と判断した投影装置２，３に対応する機器情報表示領域Ｒ１，Ｒ２に、異常に関する情報が表示されるように各投影装置２，３を制御する。つまり、制御部６４が本発明に係る投影制御手段である。具体的には、制御部６４は、各投影装置２，３に対する画像情報に対して、異常に関する情報を重畳して各投影装置２，３に出力することで、投影装置２，３からは、異常に関する情報が投影画像に重畳した状態で投影されることになる。
ここで、異常に関する情報としては、単に異常を示す情報や、その異常に対する対処方法を示す情報などが挙げられる。
【００１７】
次に、本実施形態の作用について説明する。図４は、投影制御装置６による機器情報表示（投影）処理の流れを示すフローチャートである。
まず、ステップＳ１では、投影制御装置６の制御部６４は、操作部６１から入力された接続台数を基に、当該投影制御装置６に接続されている投影装置２，３の台数を取得する。
【００１８】
ステップＳ２では、制御部６４は、接続台数ｎ分の機器情報表示領域Ｒ１，Ｒ２を割り当てる。このとき、制御部６４は、各投影装置２，３に対して番号付けも行っていて、番号を基準にして機器情報表示領域Ｒ１，Ｒ２と投影装置２，３とを対応付けしている。なお、以下の説明において上側の投影装置２を１番目の投影装置とし、下側の投影装置３を２番目の投影装置とする。
【００１９】
ステップＳ３では、制御部６４はｉ＝１に設定する。
ステップＳ４では、制御部６４は、ｉ番目（１番目）の投影装置２に機器情報を問い合わせる。この問い合わせに基づいてｉ番目の投影装置２からは当該投影装置２の機器情報（投影装置２の角度）が投影制御装置６に対して出力される。
【００２０】
ステップＳ５では、制御部６４は、ｉ番目の投影装置２から出力された機器情報を取得する。
ステップＳ６では、制御部６４は、記憶部６２に記憶されている通常時の機器情報（投影装置２の正常時の角度）と、現在、投影装置２から取得した機器情報とを比較する。
ステップＳ７では、制御部６４は、この比較によって得た差が許容範囲に収まっているか否かを判断し、許容範囲に収まっている場合には異常なしと判断して処理をステップＳ９に移行する。一方、制御部６４は、前記差が許容範囲に収まっていないと判断した場合には、異常として判断し、処理をステップＳ８に移行する。
【００２１】
ステップＳ８では、制御部６４は、ｉ番目の投影装置２に割り当てられた機器情報表示領域Ｒ１に異常に関する情報が表示（投影）されるように、当該情報を画像情報に重畳する。これにより、現在投影中の画像に対してｉ番目の投影装置２の機器情報（異常に関する情報）が表示（投影）されることになる。
【００２２】
ステップＳ９では、制御部６４は、現在のｉに対して１を加えたものを新たなｉとして設定する。
ステップＳ１０では、制御部６４は、ｉがｎよりも大きいか否かを判断し、ｉがｎよりも大きい場合には処理を「戻る」に移行し、ｉがｎ以下である場合には処理をステップＳ４に移行する。つまり、ｉがｎを越えるまではステップＳ４からステップＳ９が繰り返されるため、投影制御装置６に接続された全ての投影装置２，３に対して異常の有無の判断が行われる。本実施形態の場合には２番目の投影装置３に対してステップＳ４からステップＳ８の処理が施された後に、処理が「戻る」に移行することになる。
【００２３】
図５は、１番目の投影装置２に異常があり、２番目の投影装置３に異常がない場合に表示（投影）される画像を示す説明図である。図５では、異常のない２番目の投影装置３の投影画像Ｇ２（太線で示す）に対して、異常のある１番目の投影装置２の投影画像Ｇ１（細線で示す）が上側にずれている場合を示している。図５に示すように、１番目の投影装置２に対応する機器情報表示領域Ｒ１には異常に関する情報として、異常の報告（第一の投影装置に許容範囲以上のズレが発生しました。）と、その異常に対する対処方法（下方向に約２度傾けるように調整してください。）が表示されている。この対処方法における数値は、１番目の投影装置２から実際に取得した角度と、許容範囲の上限値、中央値及び下限値の少なくとも一つとの差分により制御部６４が求めている。
【００２４】
以上のように本実施形態によれば、異常として判断された投影装置２に割り当てられた機器情報表示領域Ｒ１に異常に関する情報が機器情報として投影されるので、複数の投影装置２，３の異常に関する情報が重なることなく表示（投影）されることになる。したがって、ユーザは表示（投影）された異常に関する情報からどの投影装置２，３に不具合が生じているか瞬時に認識することができる。
【００２５】
また、異常に関する情報として当該異常に対する対処方法が投影されているので、ユーザに異常に関する情報とその対処方法とを通知することができる。したがって、異常に対して適切に対応することができる。
【００２６】
また、図６に、１番目の投影装置２に異常があり、２番目の投影装置にも異常がある場合に表示（投影）される画像例を示す。
図６に示すように、１番目の投影装置２及び２番目の投影装置３のそれぞれに対応する機器情報表示領域Ｒ１，Ｒ２には、異常に関する情報と、その異常に対する対処方法が表示（投影）されている。図６に示すような対処方法により、スタックのされ方とともに、スタックされた画像の位置自体のずれも修正することができる。
このように、例えば、複数の投影装置（ここでは２台）の全てに異常が発生している場合にも、割り当てられた領域に異常に関する情報が表示されるので、その異常に関する情報が重なることなく、適切に読みやすくユーザに通知することができる。
【００２７】
また、傾きセンサ２２，３２が検出する投影装置２，３の角度を機器情報としているので、例えば地震等によって投影装置２，３が揺れてしまい、それにより傾いたか否かを判断することができる。
なお、投影角度のずれを検出するための機構は傾きセンサに限らない。例えば、角度調整機構２５，３５の調整ずれを直接検出されるようにしてもよい。
【００２８】
また、予め記憶部６２に記憶されている各投影装置２，３の正常時の角度（機器情報）と、傾きセンサ２２，３２で取得された各投影装置２，３の現在の角度（機器情報）とを比較することで、投影装置２，３が異常であるか否かを判断しているで、当該判断を容易に行うことができる。
【００２９】
また、機器情報が画像情報に重畳されて投影されているので、機器情報表示用の特別なフォーマットを設けなくとも容易に機器情報を投影することができる。
【００３０】
また、投影装置２，３においては、傾きセンサ２２，３２で検出された角度（機器情報）を制御部２４，３４及び通信部２３，３３が投影制御装置６に出力しているので、機器情報表示領域の割り当て機能を有する投影制御装置６に対して好適に機器情報を出力することができ、結果的に複数の投影装置２，３の異常に関する情報が重なることなく表示（投影）されることになる。
さらに、投影装置２，３の制御部２４，３４及び通信部２３，３３は、投影制御装置６から問い合わせがあった場合に、機器情報を投影制御装置６に出力しているので、適切なタイミングで機器情報を投影制御装置６に出力することができる。
【００３１】
なお、本実施形態では、投影制御装置６に対して二台の投影装置２，３が接続されている場合を例示して説明したが、三台以上の投影装置２，３が接続されていてもよい。この場合においても接続台数ｎ分の機器情報表示領域Ｒ１〜Ｒｎが割り振られることとなる。
【００３２】
また、上記実施形態では、投影装置２，３の機器情報として当該投影装置２，３の角度を例示して説明しているが、投影装置２，３の異常を検出できる情報であれば如何なるものを機器情報としてもよい。角度以外の機器情報としては、投影装置２，３自体の温度などが挙げられる。この場合の機器情報検出手段は、投影装置２，３の温度を検出する温度センサとなる。
【００３３】
また、上記実施形態では、異常に関する情報が各機器情報表示領域Ｒ１，Ｒ２に表示（投影）される場合を例示して説明したが、これ以外の投影装置２，３の機器情報を各機器情報表示領域Ｒ１，Ｒ２に表示（投影）してもよい。これにより、投影装置２，３の機器情報が、それぞれに割り当てられた機器情報表示領域Ｒ１，Ｒ２に表示（投影）されるので、各投影装置２，３の状況を瞬時に把握することができる。そして、ユーザは表示（投影）された機器情報からどの投影装置２，３に不具合が生じているか判断することができる。
【００３４】
さらに、機器情報の色が投影装置２，３毎に異なるように、制御部６４が機器情報を投影装置２，３に投影させるようにしてもよい。表示（投影）された機器情報の色の異なりによってどの投影装置２，３に異常が生じているか瞬時に判断することが可能となる。
【００３５】
また、上記実施形態では、異常でないと判断した投影装置３に対応する機器情報表示領域Ｒ２には機器情報が表示（投影）されない場合を例示して説明したが、正常である旨を示す情報が機器情報として画像情報に重畳されるようにしてもよい。
【００３６】
図７に、温度に関する機器情報が表示（投影）される画像例を示す。
図７に示すように、このような機器情報についても領域を割り当てて表示するので、その機器情報が重なることなく、適切に読みやすくユーザに通知することができる。
【００３７】
また、上記実施形態では、異常の有無が判断される場合を例示して説明したが、対処方法を施した後にその対象となる投影装置２が正常な状態に戻ったか否かを制御部６４が判断することも可能である。そして、正常な状態に戻った場合には、制御部６４は、投影装置２に対応する機器情報表示領域Ｒ１に表示（投影）されている異常に関する情報を消去する。これにより、作業者に対して正常な状態に戻ったことが通知されるため、復帰作業の効率化を図ることができる。
【００３８】
また、本実施形態では、投影制御装置６に接続されている投影装置２，３の台数（接続台数）が操作部６１に入力される場合を例示して説明したが、接続台数の取得においては、投影制御装置６と通信可能な投影装置２，３の台数を制御部６４が自動で取得するようにしてもよい。この場合、制御部６４が本発明に係る台数取得手段となる。
【００３９】
また、本実施形態では、投影制御装置６が投影装置２，３を制御する場合を例示して説明したが、投影装置２，３のどちらかが、投影制御装置６の機能を有するもの（システム）であってもよい。その場合、投影装置２，３が本発明に係る投影制御装置となる。
【００４０】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００４１】
〔付記〕
＜請求項１＞
機器情報検出手段を備えた複数の投影装置から投影される画像を一つに重ねて画像を形成するため、前記複数の投影装置に対して画像情報を出力する投影制御装置であって、
前記複数の投影装置の台数を取得する台数取得手段と、
前記台数取得手段で取得した前記台数に基づいて、前記投影装置の機器情報を表示するための領域を割り当てる割当手段と、
複数の投影装置のそれぞれの前記機器情報検出手段により検出された機器情報を取得する機器情報取得手段と、
前記機器情報取得手段によって取得した各投影装置の機器情報を、前記割当手段で割り当てられた領域に投影させるように前記投影装置を制御する投影制御手段とを備えることを特徴とする投影制御装置。
＜請求項２＞
請求項１記載の投影制御装置において、
前記機器情報取得手段は、前記機器情報検出手段によって検出された前記投影装置の姿勢情報を前記機器情報として取得することを特徴とする投影制御装置。
＜請求項３＞
請求項１又は２記載の投影制御装置において、
前記機器情報取得手段で取得した前記機器情報に基づいて前記投影装置が異常であるか否かを判断する判断手段を備え、
前記投影制御手段は、前記判断手段が異常であると判断した場合には、当該異常として判断された前記投影装置に割り当てられた領域に異常に関する情報が機器情報として投影されるように前記投影装置を制御することを特徴とする投影制御装置。
＜請求項４＞
請求項３記載の投影制御装置において、
前記投影制御手段は、前記異常に関する情報として当該異常に対する対処方法を前記投影装置に投影させることを特徴とする投影制御装置。
＜請求項５＞
請求項３又は４記載の投影制御装置において、
正常時の前記機器情報を記憶する記憶手段を備え、
前記判断手段は、前記機器情報取得手段で取得した前記機器情報と、前記記憶手段に記憶される前記機器情報とを比較することで前記投影装置が異常であるか否かを判断することを特徴とする投影制御装置。
＜請求項６＞
請求項３〜５のいずれか一項に記載の投影制御装置において、
前記投影制御手段は、前記異常が解消された場合に、前記異常に関する情報を証することを特徴とする投影制御装置。
＜請求項７＞
請求項１〜６のいずれか一項に記載の投影制御装置において、
前記投影制御手段は、
前記機器情報を前記画像情報に重畳することにより、前記機器情報を前記投影装置に投影させることを特徴とする投影制御装置。
＜請求項８＞
請求項１〜７のいずれか一項に記載の投影制御装置において、
前記投影制御手段は、前記機器情報の色が前記投影装置毎に異なるように前記機器情報を前記投影装置に投影させることを特徴とする投影制御装置。
＜請求項９＞
請求項１〜８のいずれか一項に記載の投影制御装置と通信自在な投影装置において、
前記投影装置の機器情報を検出する機器情報検出手段と、
前記機器情報検出手段で検出された前記機器情報を前記投影制御装置に出力する機器情報出力手段とを備えることを特徴とする投影装置。
＜請求項１０＞
請求項９に記載の投影装置において、
前記機器情報出力手段は、前記投影制御装置から問い合わせがあった場合に、前記機器情報を前記投影制御装置に出力することを特徴とする投影装置。
＜請求項１１＞
請求項９又は１０記載の投影装置において、
前記機器情報検出手段は、前記機器情報として前記投影装置の姿勢情報を検出することを特徴とする投影装置。
＜請求項１２＞
機器情報検出手段を備えた複数の投影装置と、
前記複数の投影装置から投影される画像を一つに重ねて画像を形成するため、前記複数の投影装置に対して画像情報を出力する投影制御装置とを有する投影システムであって、
前記投影制御装置は、
前記複数の投影装置の台数を取得する台数取得手段と、
前記台数取得手段で取得した前記台数に基づいて、前記投影装置の機器情報を表示するための領域を割り当てる割当手段と、
複数の投影装置のそれぞれの前記機器情報検出手段により検出された機器情報を取得する機器情報取得手段と、
前記機器情報取得手段によって取得した各投影装置の機器情報を、前記割当手段で割り当てられた領域に投影させるように前記投影装置を制御する投影制御手段とを備え、
前記投影装置は、
当該投影装置の機器情報を検出する機器情報検出手段と、
前記機器情報検出手段で検出された前記機器情報を前記投影制御装置に出力する機器情報出力手段とを備えることを特徴とする投影システム。
＜請求項１３＞
機器情報検出手段を備えた複数の投影装置から投影される画像を一つに重ねて画像を形成するための投影方法であって、
前記複数の投影装置の台数を取得する台数取得ステップと、
前記台数取得ステップで取得した前記台数に基づいて、前記投影装置の機器情報を表示するための領域を割り当てる割当ステップと、
複数の投影装置のそれぞれの前記機器情報検出手段により検出された機器情報を取得する機器情報取得ステップと、
前記機器情報取得ステップによって取得した各投影装置の機器情報を、前記割当ステップで割り当てられた領域に投影させるように前記投影装置を制御する投影制御ステップとを含むことを特徴とする投影方法。
＜請求項１４＞
機器情報検出手段を備えた複数の投影装置から投影される画像を一つに重ねて画像を形成するため、前記複数の投影装置に対して画像情報を出力するコンピュータを、
前記複数の投影装置の台数を取得する台数取得手段と、
前記台数取得手段で取得した前記台数に基づいて、前記投影装置の機器情報を表示するための領域を割り当てる割当手段と、
複数の投影装置のそれぞれの前記機器情報検出手段により検出された機器情報を取得する機器情報取得手段と、
前記機器情報取得手段によって取得した各投影装置の機器情報を、前記割当手段で割り当てられた領域に投影させるように前記投影装置を制御する投影制御手段として機能させることを特徴とするプログラム。
【符号の説明】
【００４２】
１      投影システム
２，３  投影装置
２１，３１  投影部
２２，３２  傾きセンサ（機器情報検出手段）
２３，３３  通信部（機器情報出力手段）
２４，３４  制御部（機器情報出力手段）
４      フレーム
５      角度調整機構
６      投影制御装置
６１  操作部（台数取得手段）
６２  記憶部（記憶手段）
６３  通信部（機器情報取得手段）
６４  制御部（割当手段、機器情報取得手段、投影制御手段）
７      画像再生装置
Ｇ      画像
Ｒ１，Ｒ２    機器情報表示領域
【図１】
2015184307.tif 000003
【図２】
2015184307.tif 000004
【図３】
2015184307.tif 000005
【図４】
2015184307.tif 000006
【図５】
2015184307.tif 000007
【図６】
2015184307.tif 000008
【図７】
2015184307.tif 000009